(57)【要約】【課題】  貫通孔の独立性を確保してタインプレートの強度を向上させ且つ成形性を高めて歩留まりを向上させながら、使用環境温度の変動により脚部のハンダ付け部分にクラックが入ることを防げるタインプレートを提供する。【解決手段】  一端にプリント配線板３００の挿入孔３１０に挿入される脚部２１１を設け、脚部よりも他端側に接触部２１２を設けた複数のコンタクト２１０と、これらのコンタクトを脚部がほぼ平行に延びるように設けた絶縁ハウジング２２０とを備えた電気コネクタ２００に装着されるタインプレート１００である。タインプレートには厚さ方向に貫通してコンタクトの脚部が挿入される複数の貫通孔１１０が設けられ、少なくともタインプレートのほぼ長手方向に沿って両端にある貫通孔は、厚さ方向にみてタインプレートの長手方向に沿った内寸の最大値がタインプレートの短手方向に沿った内寸の最大値よりも大きく形成されている。【選択図】  図１
2005135878.tif 000002
【特許請求の範囲】
【請求項１】
一端にプリント配線板の厚さ方向に貫通する挿入孔に挿入される脚部が設けられ、この脚部よりも他端側に相手側コネクタのコンタクトに接触する接触部が設けられた複数のコンタクトと、これらのコンタクトを脚部がほぼ平行に延びるように設けた絶縁ハウジングとを備えた電気コネクタに装着されるタインプレートであって、
このタインプレートは厚さ方向にみて端縁間の距離が最大となる方向である長手方向と、これに直交する短手方向とを備えており、
このタインプレートには厚さ方向に貫通してコンタクトの脚部が挿入される複数の貫通孔が設けられ、少なくともタインプレートのほぼ長手方向に沿って両端にある貫通孔は、厚さ方向にみてタインプレートの長手方向に沿った内寸の最大値がタインプレートの短手方向に沿った内寸の最大値よりも大きく形成されているタインプレート。
【請求項２】
貫通孔が、厚さ方向にみて、タインプレートの長手方向に円を引き延ばした変形円、又はタインプレートの長手方向に長径が延びる楕円である請求項１のタインプレート。
【発明の詳細な説明】
【技術分野】
【０００１】
本発明は、電気コネクタに装着してコンタクトの脚部を整列させるタインプレートの技術分野に属する。
【背景技術】
【０００２】
特許文献１は、基板のスルーホールに挿入されるタイン部及び互いに嵌合する相手コネクタのコンタクトに接触する接触部をそれぞれが有する複数のコンタクトと、この複数のコンタクトが配列されたハウジングとを備えた電気コネクタにおける、上記複数のコンタクトそれぞれの上記タイン部が貫通する複数の貫通孔が形成され、この複数の貫通孔それぞれに上記タイン部を貫通させることによりタイン部を整列させる整列位置に配置されたタインプレートにおいて、上記複数の貫通孔のうち、少なくとも２つ以上の貫通孔をつなぐスロットが形成されてなることを特徴とするタインプレートを開示している。
【０００３】
特許文献２は、基板取付型コネクタを開示し、このコネクタは、タインプレートを備えている。このタインプレートは、コンタクトの数に対応した３列の貫通孔を有する。これらの貫通孔の列のうちハウジングに最も近い列の貫通孔のいくつかはスロットにより互いに連通する。これにより、基板及びタインプレートに熱膨張率の差がある場合であっても、脚部の半田付部に生ずる応力が緩和され、半田クラックが生じない（同文献の段落番号００１２を参照）。
【０００４】
このようなタインプレートを電気コネクタに装着すると、ほぼ平行に延びる複数のコンタクトの脚部がタインプレートによって綺麗に整列するので、これらの脚部をプリント配線板の挿入孔に差込んで電気コネクタをプリント配線板に取り付けるときに、取り付け作業性を向上させることができる。また、タインプレートによってコンタクトの脚部を覆い、これを保護することができる。
【０００５】
タインプレートとプリント配線板とで熱膨張率の相違等によって熱膨張量に差が出ると、使用環境温度の変動によりタインプレートとプリント配線板にハンダ付けされているコンタクトの脚部とが干渉し、脚部のハンダ付け部分にクラックが入るという不具合が発生する。上記特許文献１及び特許文献２の発明は、タインプレートに貫通孔をつなぐスロットを設けることで、この不具合を未然に防いでいる。
【特許文献１】特開平９−３５８２９号公報
【特許文献２】特開平１０−１５４５３７号公報
【発明の開示】
【発明が解決しようとする課題】
【０００６】
ところが、このようにタインプレートに貫通孔をつなぐスロットを設けると、タインプレートに貫通孔及びスロットによってスリットが形成されるので、タインプレートの強度が落ちる。また、タインプレートを射出成形等で成形する場合、スロットを形成するための型又はピン等によって溶融材料の流れが阻害されるので、タインプレートの歩留まりが低下するという問題もある。
【０００７】
本発明は、このような点に着目してなされたもので、その目的とするところは、コンタクトの脚部を挿入する貫通孔の独立性を確保してタインプレートの強度を向上させ且つタインプレートの成形性を高めて歩留まりを向上させながら、使用環境温度の変動によりタインプレートとコンタクトの脚部とが干渉して脚部のハンダ付け部分にクラックが入る不具合を確実に防止することができるタインプレートを提供することにある。
【課題を解決するための手段】
【０００８】
上記目的を達成するため、請求項１は、一端にプリント配線板の厚さ方向に貫通する挿入孔に挿入される脚部が設けられ、この脚部よりも他端側に相手側コネクタのコンタクトに接触する接触部が設けられた複数のコンタクトと、これらのコンタクトを脚部がほぼ平行に延びるように設けた絶縁ハウジングとを備えた電気コネクタに装着されるタインプレートである。このタインプレートは厚さ方向にみて端縁間の距離が最大となる方向である長手方向と、これに直交する短手方向とを備えており、このタインプレートには厚さ方向に貫通してコンタクトの脚部が挿入される複数の貫通孔が設けられ、少なくともタインプレートのほぼ長手方向に沿って両端にある貫通孔は、厚さ方向にみてタインプレートの長手方向に沿った内寸の最大値がタインプレートの短手方向に沿った内寸の最大値よりも大きく形成されている。
【０００９】
このタインプレートを電気コネクタに装着すると、ほぼ平行に延びる複数のコンタクトの脚部がタインプレートによって綺麗に整列するので、これらの脚部をプリント配線板の挿入孔に差込んで電気コネクタをプリント配線板に取り付けるときに、取り付け作業性を向上させることができる。また、タインプレートによってコンタクトの脚部を覆い、これを保護することができる。
【００１０】
タインプレートとプリント配線板とで熱膨張率の相違等によって熱膨張量に差が出た場合、この熱膨張量に差はタインプレートのほぼ長手方向に沿って両端に近いほど大きくなる。これに対してこのタインプレートは、少なくともタインプレートのほぼ長手方向に沿って両端にある貫通孔が、厚さ方向にみてタインプレートの長手方向に沿った内寸の最大値がタインプレートの短手方向に沿った内寸の最大値よりも大きく形成されている。そのため、使用環境温度の変動があってもタインプレートとプリント配線板にハンダ付けされているコンタクトの脚部とが干渉することが抑制又は阻止され、脚部のハンダ付け部分にクラックが入るという不具合が防止される。その場合、従来例のようにタインプレートに貫通孔をつなぐスロットを設けることに較べると、貫通孔の独立性が確保されるので、タインプレートの強度が高くなり、また、タインプレートを射出成形等で成形する場合、溶融材料の流れが阻害されることがなく、タインプレートの歩留まりが向上する。
【００１１】
請求項２のタインプレートは、請求項１のタインプレートにおいて、貫通孔が、厚さ方向にみて、タインプレートの長手方向に円を引き延ばした変形円、又はタインプレートの長手方向に長径が延びる楕円である。
【００１２】
これによって請求項１の貫通孔の形状が例示できた。
【発明の効果】
【００１３】
請求項１により、コンタクトの脚部を挿入する貫通孔の独立性を確保してタインプレートの強度を向上させ且つタインプレートの成形性を高めて歩留まりを向上させながら、使用環境温度の変動によりタインプレートとコンタクトの脚部とが干渉して脚部のハンダ付け部分にクラックが入る不具合を確実に防止することができるタインプレートを提供することができた。
【００１４】
請求項２によって請求項１の貫通孔の形状が例示できた。
【発明を実施するための最良の形態】
【００１５】
以下、本発明の実施の形態を説明する。図１及び図２は本発明の第１の実施形態であるタインプレート１００を示す。このタインプレート１００は、図３及び図４に示すような電気コネクタ２００に装着される。この電気コネクタ２００は、導電性材料よりなる複数のコンタクト２１０と、絶縁性材料よりなりコンタクト２１０を保持する絶縁ハウジング２２０とを備えている。コンタクト２１０は、一端にプリント配線板３００の厚さ方向に貫通する挿入孔３１０に挿入される脚部２１１が設けられ、この脚部２１１よりも他端側に相手側コネクタ（図示省略）のコンタクトに接触する接触部２１２が設けられている。これらのコンタクト２１０は、絶縁ハウジング２２０に脚部２１１がほぼ平行に延びるように設けられている。コンタクト２１０の脚部２１１は、脚部２１１の延びる方向とほぼ直交する面をとったときに、この面に含まれる一つの方向に沿って比較的多い数が並び、この面に含まれて上記方向とほぼ直交する方向に沿っては比較的少ない数が並んでいる。前者の方向をコンタクト脚部群の長手方向といい、後者の方向をコンタクト脚部群の短手方向ということにする。コンタクト２１０の脚部２１１の断面形状は同一であり、コンタクト２１０の脚部２１１を脚部２１１が延びる方向と直交する面で断面したときに、この断面のコンタクト脚部群の長手方向の寸法と短手方向の寸法とはほぼ等しくなっている。電気コネクタ２００をプリント配線板３００に実装するときに絶縁ハウジング２２０をプリント配線板３００に固定してもよいし、しなくてもよい。
【００１６】
互いに直交する奥行き方向、幅方向、及び高さ方向を想定し、これらの方向付けを利用して説明する。この実施形態の場合、図４で説明すれば、図の左右方向が奥行き方向であり、図の左方が奥行き方向の奥、右方が奥行き方向の手前である。また、図の紙面に垂直な方向が幅方向であり、図の上下方向が高さ方向である。この実施形態の場合、絶縁ハウジング２２０には奥行き方向の手前に向かって開口する収容室２２１が設けられ、この収容室２２１で相手側コネクタを受入れるようにしている。コンタクト２１０はＬ字形に曲がっており、一端が高さ方向に延びて脚部２１１になっており、この脚部２１１がプリント配線板３００の挿入孔３１０に挿入されるようになっている。そして、コンタクト２１０の他端が奥行き方向に延びて絶縁ハウジング２２０の収容室２２１の奥側に設けられた奥壁２２２にこれを貫通して固定されており、先端が収容室２２１の内部にあって接触部２１２になっている。コンタクト２１０の脚部２１１は奥行き方向に２列に並び、そして各列においては２６本の脚部２１１が幅方向に並んでいる。コンタクト２１０の接触部２１２は高さ方向に２列に並び、そして各列においては２６本の接触部２１２が幅方向に並んでいる。従って、この実施形態では幅方向がコンタクト脚部群の長手方向となり、奥行き方向がコンタクト脚部群の短手方向となる。このように電気コネクタ２００を詳細に説明したが、この実施形態によって本発明が対象とする電気コネクタのコンタクトの数、向き、配列等が限定されるものではないし、絶縁ハウジングの形状、向き等が限定されるものではない。
【００１７】
タインプレート１００は、絶縁性材料により形成されていると共に、コンタクト２１０の脚部２１１が延びる方向を厚さ方向とする板状に形成されている。従って、ここでは高さ方向が厚さ方向となっている。このタインプレート１００は厚さ方向にみて端縁間の距離が最大となる方向である長手方向と、これに直交する短手方向とを備えている。すなわち、コンタクト脚部群の配列に応じてコンタクト脚部群の長手方向がタインプレート１００の長手方向となり、コンタクト脚部群の短手方向がタインプレート１００の短手方向となる。従って、この実施形態では幅方向がタインプレート１００の長手方向となり、奥行き方向がタインプレート１００の短手方向となる。このタインプレート１００には厚さ方向に貫通してコンタクト２１０の脚部２１１が挿入される複数の貫通孔１１０が設けられている。
【００１８】
貫通孔１１０のうち、少なくともタインプレート１００のほぼ長手方向に沿って両端にある貫通孔１１０を外側貫通孔１１０といい、この外側貫通孔１１０を除いた貫通孔１１０を内側貫通孔１１０ということにする。外側貫通孔１１０は、タインプレート１００のほぼ長手方向に沿って両端にある貫通孔１１０のみである場合もあるし、それに加えてこの両端にある貫通孔１１０よりも内側に連なるいくつかの貫通孔１１０を含めていう場合もある。内側貫通孔１１０は、例えばタインプレート１００のほぼ長手方向に沿って中央付近にある貫通孔１１０である。内側貫通孔１１０は、厚さ方向にみてタインプレート１００の長手方向に沿った内寸の最大値ＤＬ１とタインプレート１００の短手方向に沿った内寸の最大値ＤＳ１とがほぼ同一の寸法である。これに対して、外側貫通孔１１０は、厚さ方向にみてタインプレート１００の長手方向に沿った内寸の最大値ＤＬ２がタインプレート１００の短手方向に沿った内寸の最大値ＤＳ２よりも大きく形成されている。この場合、内側貫通孔１１０におけるタインプレート１００の短手方向に沿った内寸の最大値ＤＳ１と、外側貫通孔１１０におけるタインプレート１００の短手方向に沿った内寸の最大値ＤＳ２とはほぼ同一の寸法である。ここで、内寸とは貫通孔の内壁間の寸法である。
【００１９】
この実施形態の場合、貫通孔１１０が、厚さ方向にみて、タインプレート１００の長手方向に円を引き延ばした変形円である。この変形円は、真円を長手方向に二分割して２つの半円とし、この２つの半円の端部間を線分で接続した形状である。貫通孔の開口を面取りしてもよいし、しなくてもよい。
【００２０】
従って、このタインプレート１００を電気コネクタ２００に装着すると、ほぼ平行に延びる複数のコンタクト２１０の脚部２１１がタインプレート１００によって綺麗に整列するので、これらの脚部２１１をプリント配線板３００の挿入孔３１０に差込んで電気コネクタ２００をプリント配線板３００に取り付けるときに、取り付け作業性を向上させることができる。また、タインプレート１００によってコンタクト２１０の脚部２１１を覆い、これを保護することができる。
【００２１】
タインプレート１００とプリント配線板３００とで熱膨張率の相違等によって熱膨張量に差が出た場合、この熱膨張量の差はタインプレート１００のほぼ長手方向に沿って両端に近いほど大きくなる。これに対してこのタインプレート１００は、少なくともタインプレート１００のほぼ長手方向に沿って両端にある貫通孔１１０が、厚さ方向にみてタインプレート１００の長手方向に沿った内寸の最大値がタインプレート１００の短手方向に沿った内寸の最大値よりも大きく形成されている。そのため、使用環境温度の変動があってもタインプレート１００とプリント配線板３００にハンダ付けされているコンタクト２１０の脚部２１１とが干渉することが抑制又は阻止され、脚部２１１のハンダ付け部分にクラックが入るという不具合が防止される。その場合、従来例のようにタインプレートに貫通孔をつなぐスロットを設けることに較べると、貫通孔１１０の独立性が確保されるので、タインプレート１００の強度が高くなり、また、タインプレート１００を射出成形等で成形する場合、溶融材料の流れが阻害されることがなく、タインプレート１００の歩留まりが向上する。
【００２２】
図５は第２の実施形態のタインプレート１００を示す。第１実施形態のタインプレート１００は、貫通孔１１０が、厚さ方向にみて、タインプレート１００の長手方向に円を引き延ばした変形円であったが、第２実施形態のタインプレート１００は、貫通孔１１０が、厚さ方向にみて、タインプレート１００の長手方向に長径が延びる楕円である。それ以外の構成は第１実施形態のタインプレート１００と同様であり、作用及び効果も同様である。
【００２３】
図６は第３の実施形態のタインプレート１００を示す。この第３実施形態のタインプレート１００も、貫通孔１１０の形状が第１実施形態のタインプレート１００と異なっている。第３実施形態のタインプレート１００は、貫通孔１１０が、厚さ方向にみて、タインプレート１００の長手方向に長い対角線が延び、短手方向に短い対角線が延びる菱形である。それ以外の構成は第１実施形態のタインプレート１００と同様であり、作用及び効果も同様である。
【図面の簡単な説明】
【００２４】
【図１】第１実施形態のタインプレートの長手方向の一方の端部を高さ方向からみた拡大平面図である。
【図２】第１実施形態のタインプレートを高さ方向からみた平面図である。
【図３】第１実施形態のタインプレートを装着した電気コネクタを示す斜視図である。
【図４】第１実施形態のタインプレートを装着した電気コネクタをプリント配線板に実装し、幅方向に向く面で断面して幅方向からみた断面図である。
【図５】第２実施形態のタインプレートの長手方向の一方の端部を高さ方向からみた拡大平面図である。
【図６】第３実施形態のタインプレートの長手方向の一方の端部を高さ方向からみた拡大平面図である。
【符号の説明】
【００２５】
１００  タインプレート
１１０  貫通孔
２００  電気コネクタ
２１０  コンタクト
２１１  脚部
２１２  接触部
２２０  絶縁ハウジング
３００  プリント配線板
３１０  挿入孔
【図１】
2005135878.tif 000003
【図２】
2005135878.tif 000004
【図３】
2005135878.tif 000005
【図４】
2005135878.tif 000006
【図５】
2005135878.tif 000007
【図６】
2005135878.tif 000008